【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
アクセスポイント、および前記アクセスポイントと関連付けられている複数のワイヤレスデバイスを有するワイヤレスネットワーク内で通信する方法であって、
前記複数のワイヤレスデバイスのうちの各ワイヤレスデバイスについて、前記各ワイヤレスデバイスと関連付けられている時間間隔内で１つまたは複数のパケットが正確に復号されているか否かを、前記アクセスポイントにおいて判断することであって、前記時間間隔は、以前のグループ確認応答が前記各ワイヤレスデバイスに送信されたときに対するものである、判断することと、
前記複数のワイヤレスデバイスと１対１で対応する複数の指示子を、前記アクセスポイントにおいて生成することであって、各指示子は対応するワイヤレスデバイスに関する前記判断の結果を表す、生成することと、
前記複数の指示子を備えるグループ確認応答を、前記以前のグループ確認応答のブロードキャストの後の固定された期間に前記アクセスポイントによってブロードキャストすることと、を備え、前記生成することは、前記複数の指示子を備える情報要素を生成することを備え、前記グループ確認応答は前記情報要素を含み、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、方法。
【請求項２】
前記複数のワイヤレスデバイスと関連付けられている前記時間間隔はすべて互いに等しい、請求項１に記載の方法。
【請求項３】
前記複数のワイヤレスデバイスのうちの第１のワイヤレスデバイスと関連付けられている第１の時間間隔は、前記複数のワイヤレスデバイスのうちの第２のワイヤレスデバイスと関連付けられている第２の時間間隔とは等しくない、請求項１に記載の方法。
【請求項４】
前記生成することは、前記複数の指示子を表現するためのビットマップを生成することを備え、前記複数の指示子のうちの各指示子は前記ビットマップ内の１ビットによって表現され、前記グループ確認応答は前記ビットマップを含む、請求項１に記載の方法。
【請求項５】
前記複数の指示子のうちの各指示子の位置は、その対応するワイヤレスデバイスを示す、請求項１に記載の方法。
【請求項６】
前記ブロードキャストすることは、前記グループ確認応答を含むビーコンをブロードキャストすることを備える、請求項１に記載の方法。
【請求項７】
前記グループ確認応答は、ビーコンのブロードキャストの後のスケジュールされている時間にブロードキャストされる、請求項１に記載の方法。
【請求項８】
少なくとも１つのワイヤレスデバイスについて、前記少なくとも１つのワイヤレスデバイスと関連付けられている前記時間間隔は、以前の確認応答が前記少なくとも１つのワイヤレスデバイスに送信された時に対するものである、請求項１に記載の方法。
【請求項９】
予想される受信される通信が前記グループ確認応答のブロードキャストにより確認応答されることになると示すメッセージを前記アクセスポイントにおいて生成することと、
前記複数のワイヤレスデバイスに前記メッセージを送信することとをさらに備える、請求項１に記載の方法。
【請求項１０】
前記アクセスポイントが前記複数の指示子を生成し、前記複数のワイヤレスデバイスのうちの少なくとも１つのワイヤレスデバイスから受信されるメッセージに応答して前記グループ確認応答をブロードキャストすることを要求するメッセージを、前記複数のワイヤレスデバイスの各々から受信することをさらに備える、請求項１に記載の方法。
【請求項１１】
複数のワイヤレスデバイスを有するワイヤレスネットワークにおいて通信するための装置であって、
各ワイヤレスデバイスと関連付けられている時間間隔内で少なくとも１つのパケットが正確に復号されているか否かを、前記各ワイヤレスデバイスについて判断するように構成されており、前記時間間隔は、以前のグループ確認応答が前記各ワイヤレスデバイスに送信されたときに対するものであり、前記複数のワイヤレスデバイスと１対１で対応する複数の指示子を生成するように構成されており、各指示子は対応するワイヤレスデバイスからの前記少なくとも１つのパケットが、正確に復号されているか否かを示し、前記複数の指示子を備える情報要素を生成することによって前記複数の指示子を生成するように構成されているプロセッサと、
前記複数の指示子を備えるグループ確認応答を前記以前のグループ確認応答のブロードキャストの後の固定された期間にブロードキャストするための、前記プロセッサに結合されている送信機と、を備え、前記グループ確認応答は、前記情報要素を含み、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、装置。
【請求項１２】
前記複数のワイヤレスデバイスと関連付けられている前記時間間隔は各々互いに等しい、請求項１１に記載の装置。
【請求項１３】
前記複数のワイヤレスデバイスのうちの第１のワイヤレスデバイスと関連付けられている第１の時間間隔は、前記複数のワイヤレスデバイスのうちの第２のワイヤレスデバイスと関連付けられている第２の時間間隔とは等しくない、請求項１１に記載の装置。
【請求項１４】
前記プロセッサは、前記複数の指示子を表現するためのビットマップを生成するように構成されており、前記複数の指示子のうちの各指示子は前記ビットマップ内の１ビットによって表現され、前記グループ確認応答は前記ビットマップを含む、請求項１１に記載の装置。
【請求項１５】
前記複数の指示子のうちの各指示子の位置は、対応するワイヤレスデバイスを示す、請求項１４に記載の装置。
【請求項１６】
前記グループ確認応答はビーコンを備える、請求項１１に記載の装置。
【請求項１７】
前記グループ確認応答は、ビーコンのブロードキャストの後のスケジュールされている時間にブロードキャストされる、請求項１１に記載の装置。
【請求項１８】
前記グループ確認応答は、ビーコンの一部としてスケジュールされている時間にブロードキャストされる、請求項１１に記載の装置。
【請求項１９】
前記プロセッサは、予想される受信される通信が前記グループ確認応答のブロードキャストにより確認応答されることになると示すメッセージを生成するように構成されており、前記送信機は、前記複数のワイヤレスデバイスに前記メッセージを送信する、請求項１１に記載の装置。
【請求項２０】
前記プロセッサは前記指示子を生成するように構成されており、前記送信機は、前記装置からの予想される通信が前記グループ確認応答のブロードキャストにより確認応答されることを要求するメッセージを前記複数のワイヤレスデバイスの各々から受信するのに応答して、前記グループ確認応答をブロードキャストするように構成されている、請求項１１に記載の装置。
【請求項２１】
複数のワイヤレスデバイスを有するワイヤレスネットワークにおいて通信するための装置であって、
前記複数のワイヤレスデバイスのうちの各ワイヤレスデバイスについて、前記各ワイヤレスデバイスと関連付けられている時間間隔内で少なくとも１つのパケットが正確に復号されているか否かを判断するための手段であって、前記時間間隔は、以前のグループ確認応答が前記各ワイヤレスデバイスに送信されたときに対するものである、判断するための手段と、
前記複数のワイヤレスデバイスと１対１で対応する複数の指示子を生成するための手段であって、各指示子は対応するワイヤレスデバイスに関する前記判断するための手段の結果を表し、前記生成するための手段は、前記複数の指示子を備える情報要素を生成するための手段を備える、生成するための手段と、
前記複数の指示子を備えるグループ確認応答を前記以前のグループ確認応答のブロードキャストの後の固定された期間にブロードキャストするための手段と、を備え、前記グループ確認応答は、前記情報要素を含み、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、装置。
【請求項２２】
装置によって実行されると、前記装置に、アクセスポイント、および、前記アクセスポイントと関連付けられている複数のワイヤレスデバイスを有するワイヤレスネットワークにおいて通信する方法を実行させる命令を記憶した非一時的なコンピュータ可読記憶媒体であって、前記方法は、
前記複数のワイヤレスデバイスのうちの各ワイヤレスデバイスについて、前記各ワイヤレスデバイスと関連付けられている時間間隔内で少なくとも１つのパケットが正確に復号されているか否かを、前記アクセスポイントにおいて判断することであって、前記時間間隔は、以前のグループ確認応答が前記各ワイヤレスデバイスに送信されたときに対するものである、判断することと、
前記複数のワイヤレスデバイスと１対１で対応する複数の指示子を、前記アクセスポイントにおいて生成することであって、各指示子は対応するワイヤレスデバイスに関する前記判断の結果を表し、前記生成することは、前記複数の指示子を備える情報要素を生成することを備える、生成することと、
前記複数の指示子を備えるグループ確認応答を、前記以前のグループ確認応答のブロードキャストの後の固定された期間に前記アクセスポイントによってブロードキャストすることと、を備え、前記グループ確認応答は、前記情報要素を含み、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、非一時的なコンピュータ可読記憶媒体。
【請求項２３】
アクセスポイントおよび複数のワイヤレスデバイスを有するワイヤレスネットワーク内で通信する方法であって、
前記複数のワイヤレスデバイスのうちの第１のワイヤレスデバイスにおいて、第１の通信を前記アクセスポイントに送信することと、
前記第１のワイヤレスデバイスにおいて、以前のグループ確認応答のブロードキャストの後の固定された期間にブロードキャストされる前記アクセスポイントからのグループ確認応答を受信することであって、前記グループ確認応答は、前記複数のワイヤレスデバイスと１対１で対応する複数の指示子を備え、前記複数の指示子のうちの各指示子は、前記アクセスポイントが、前記対応するワイヤレスデバイスと関連付けられている時間間隔内で対応するワイヤレスデバイスからの通信を正確に復号したか否かを表す、受信することと、
前記第１のワイヤレスデバイスに対応する前記指示子に基づいて、前記第１の通信が前記アクセスポイントによって正確に復号されたか否かを、前記第１のワイヤレスデバイスにおいて判断することと、を備え、前記複数の指示子は情報要素内に含まれ、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、方法。
【請求項２４】
前記複数の指示子はビットマップ内に含まれる、請求項２３に記載の方法。
【請求項２５】
前記複数の指示子のうちの各指示子は、前記ビットマップ内の１ビットから成る、請求項２４に記載の方法。
【請求項２６】
前記グループ確認応答はビーコンを備える、請求項２３に記載の方法。
【請求項２７】
ビーコンを受信することをさらに備え、前記グループ確認応答は前記ビーコンを受信した後のスケジュールされている時間に受信される、請求項２３に記載の方法。
【請求項２８】
ビーコンを受信することをさらに備え、前記グループ確認応答は前記ビーコンの一部としてスケジュールされている時間に受信される、請求項２３に記載の方法。
【請求項２９】
前記第１の通信の送信後に前記第１のワイヤレスデバイスを電力節約モードにおいて動作させることと、
前記第１のワイヤレスデバイスを前記電力節約モードにおいて動作させた後、定期的にスケジュールされている時間に対応する時間において、前記第１のワイヤレスデバイスを、前記グループ確認応答を受信するためのモードにおいて動作させることと、
前記定期的にスケジュールされている時間において前記グループ確認応答を、前記第１のワイヤレスデバイスにおいて受信することとをさらに備える、請求項２３に記載の方法。
【請求項３０】
前記アクセスポイントからのメッセージを前記第１のワイヤレスデバイスにおいて受信することをさらに備え、前記メッセージは、予想される通信が前記グループ確認応答のブロードキャストにより前記アクセスポイントによって確認応答されることになると示す、請求項２３に記載の方法。
【請求項３１】
前記アクセスポイントに対するメッセージを前記第１のワイヤレスデバイスによって送信することをさらに備え、前記メッセージは、前記アクセスポイントに対する予想される通信が前記グループ確認応答のブロードキャストにより確認応答されることを要求する、請求項２３に記載の方法。
【請求項３２】
アクセスポイントと関連付けられている複数のワイヤレスデバイスを有するワイヤレスネットワーク内で通信するための、前記複数のワイヤレスデバイスに属する第１のワイヤレスデバイスであって、
第１の通信を前記アクセスポイントに送信するように構成されている送信機と、
以前のグループ確認応答のブロードキャストの後の固定された期間にブロードキャストされる前記アクセスポイントからのグループ確認応答を受信するように構成されている受信機であって、前記グループ確認応答は、前記複数のワイヤレスデバイスと１対１で対応する複数の指示子を備え、前記複数の指示子のうちの各指示子は、前記アクセスポイントが、前記対応するワイヤレスデバイスと関連付けられている時間間隔内で対応するワイヤレスデバイスからの通信を正確に復号したか否かを表す、受信機と、
前記第１のワイヤレスデバイスに対応する前記指示子に基づいて、前記第１の通信が前記アクセスポイントによって正確に復号されたか否かを判断するように構成されているプロセッサとを備え、前記複数の指示子は情報要素内に含まれ、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、第１のワイヤレスデバイス。
【請求項３３】
前記複数の指示子はビットマップ内に含まれる、請求項３２に記載の第１のワイヤレスデバイス。
【請求項３４】
前記複数の指示子のうちの各指示子は、前記ビットマップ内の１ビットから成る、請求項３３に記載の第１のワイヤレスデバイス。
【請求項３５】
前記グループ確認応答はビーコンを備える、請求項３２に記載の第１のワイヤレスデバイス。
【請求項３６】
前記受信機は、ビーコンを受信するようにさらに構成されており、前記グループ確認応答は前記ビーコンを受信した後のスケジュールされている時間に受信される、請求項３２に記載の第１のワイヤレスデバイス。
【請求項３７】
前記受信機は、ビーコンを受信するようにさらに構成されており、前記グループ確認応答は前記ビーコンの一部としてスケジュールされている時間に受信される、請求項３２に記載の第１のワイヤレスデバイス。
【請求項３８】
前記プロセッサは、前記第１の通信の送信後に前記第１のワイヤレスデバイスを電力節約モードにおいて動作させ、定期的にスケジュールされている時間に対応する時間において、前記受信機を、前記定期的にスケジュールされている時間において前記グループ確認応答を受信するためのモードにおいて動作させるようにさらに構成されている、請求項３２に記載の第１のワイヤレスデバイス。
【請求項３９】
前記プロセッサは、前記アクセスポイントに対する予想される通信が、前記グループ確認応答をブロードキャストしている前記アクセスポイントによって確認応答されるべきであることを要求するメッセージを生成し、前記送信機に、前記アクセスポイントに前記メッセージを送信させるように構成されている、請求項３２に記載の第１のワイヤレスデバイス。
【請求項４０】
前記受信機は、前記アクセスポイントからメッセージを受信するように構成されており、前記メッセージは、前記複数の指示子を備える前記グループ確認応答を送信することによって、前記送信機からの予想される通信が前記アクセスポイントによって確認応答されることになることを示し、前記プロセッサは、前記メッセージに応答して前記第１の通信が受信されたか否かを判断するように構成されている、請求項３２に記載の第１のワイヤレスデバイス。
【請求項４１】
アクセスポイントと関連付けられている複数のワイヤレスデバイスを有するワイヤレスネットワーク内で通信するための、前記複数のワイヤレスデバイスに属する第１のワイヤレスデバイスであって、
前記アクセスポイントに第１の通信を送信するための手段と、
以前のグループ確認応答のブロードキャストの後の固定された期間にブロードキャストされる前記アクセスポイントからのグループ確認応答を受信するための手段であって、前記グループ確認応答は、前記複数のワイヤレスデバイスと１対１で対応する複数の指示子を備え、前記複数の指示子のうちの各指示子は、前記アクセスポイントが、前記対応するワイヤレスデバイスと関連付けられている時間間隔内で対応するワイヤレスデバイスからの通信を正確に復号したか否かを表す、受信するための手段と、
前記第１のワイヤレスデバイスに対応する前記指示子に基づいて、前記第１の通信が前記アクセスポイントによって正確に復号されたか否かを判断するための手段とを備え、前記複数の指示子は情報要素内に含まれ、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、第１のワイヤレスデバイス。
【請求項４２】
第１のワイヤレスデバイスによって実行されると、前記第１のワイヤレスデバイスに、アクセスポイント、および、前記アクセスポイントと関連付けられている複数のワイヤレスデバイスを有するワイヤレスネットワークにおいて通信する方法を実行させる命令を記憶した非一時的なコンピュータ可読記憶媒体であって、前記第１のワイヤレスデバイスは前記複数のワイヤレスデバイスに属し、前記方法は、
前記アクセスポイントに第１の通信を送信することと、
以前のグループ確認応答のブロードキャストの後の固定された期間にブロードキャストされる前記アクセスポイントからのグループ確認応答を受信することであって、前記グループ確認応答は、前記複数のワイヤレスデバイスと１対１で対応する複数の指示子を備え、前記複数の指示子のうちの各指示子は、前記アクセスポイントが、前記対応するワイヤレスデバイスと関連付けられている時間間隔内で対応するワイヤレスデバイスからの通信を正確に復号したか否かを表す、受信することと、
前記第１のワイヤレスデバイスに対応する前記指示子に基づいて、前記第１の通信が前記アクセスポイントによって正確に復号されたか否かを判断することとを備え、前記複数の指示子は情報要素内に含まれ、前記情報要素は、前記情報要素の長さと、前記複数のワイヤレスデバイスと１対１で対応する複数のアソシエーション識別情報と、前記複数の指示子を表現するためのビットマップとを備え、前記複数の指示子のうちの各指示子は前記ビットマップ内の１ビットによって表現され、前記複数のアソシエーション識別情報は、前記複数のワイヤレスデバイスのうちのいずれのワイヤレスデバイスに対して各指示子が生成されているかを識別する、非一時的なコンピュータ可読記憶媒体。